(57)【特許請求の範囲】
【請求項１】
遠赤外線セラミック練り込み布地を表地と裏地に使用し、前記表地は、右側表地７１ａ、左側表地７１ｂ、中央飾り地７３，クロッチ用ネット地７４，右側太もも広幅レース７５ａ、左側太もも広幅レース７５ｂからなり、前記右側表地７１ａは、伸縮性を持って織られた布地を用い、前面中央から折り返し線８２を経て後面中央まで覆うだけの幅を有し、上下方向は、上端が臍よりやや上まで覆うようなハイウエストで、下端が太ももの略中間位置まで覆う長さを有し、この右側表地７１ａの前面側中央部に当たる部分には、中央飾り地７３を取り付けるための鉤型の切り欠きと、右側クロッチを取付けるための切り欠き７７ａが形成され、後面側中央部に当たる部分にも右側クロッチを取付けるための切り欠き７７ａが形成され、さらに、後面に縦半分のハート形の右側臀部モールド部７６ａがモールド形成され、前記左側表地７１ｂについても、右側表地７１ａと対称形をなし、これら右側表地７１ａと左側表地７１ｂにおいて、縫い代を作らないように両側の折り返し線８２で折り返すようにし、前記中央飾り地７３は、伸縮性の少ない織り方をした布地をダイヤ型に裁断したものからなり、前記右側太もも広幅レース７５ａと左側太もも広幅レース７５ｂは、伸縮性のある織り方をした飾りを兼ねたストレッチレース布からなり、前記右側表地７１ａと左側表地７１ｂの下端部にそれぞれ重ねて縫製され、前記クロッチ用ネット地７４は、伸縮性のある織り方をしたネットなどの布地で、２枚重ねとし、前記裏地は、伸縮性のある織り方をした布地を使用した中央部裏地７８、右側臀部支え裏地７９ａ、左側臀部支え裏地７９ｂ、右側太もも裏地８１ａ及び左側太もも裏地８１ｂからなり、前記右側臀部支え裏地７９ａには、ヒップを外周から中心に向かって持ち上げて形を整えるために、内側の右側臀部用切り欠き８０ａが前記右側臀部モールド部７６ａの外周縁部に略一致したＣ型に裁断され、また、前記右側表地７１ａの右側クロッチ取付け切り欠き７７ａと一致する右側クロッチ取付け切り欠き７７ａが切り欠かれ、前記左側臀部支え裏地７９ｂについても、右側臀部支え裏地７９ａと対称形をなし、前記右側太もも裏地８１ａは、内股に位置するようにしてリンパの流れと血流を促進し、経穴を温めるための２枚重ね部８５ａと、太ももの全周囲を圧迫せずに、しかも、しっかりと支えるための帯状部８６ａとからなり、前記２枚重ね部８５ａには、前記右側表地７１ａの右側クロッチを取付けるための切り欠き７７ａと一致する右側クロッチを取付けるための切り欠き７７ａが切り欠かれ、前記表地と裏地が重ね合わせられて縫製されるとき、後面の臀部モールド部７６を２分する部分と上端部とに、後面がやや引き下げられて、中間部にたるみが形成され、ヒップ部分の丸みがより強調されるためのそれぞれゴム紐８３を一体に縫い付けてシャーリングによるダーツを形成したことを特徴とするガードル。
【発明の詳細な説明】
【０００１】
【発明の属する技術分野】
本発明は、健康と美を保つための女性用のガードルに関するものである。
【０００２】
【従来の技術】
従来、図５に示すようなショートガードル７０では、ヒップからウエストの周りを強く締め付けるものが多く、また、ハイウエストのものでも、ウエスト部分のきついものがほとんどであった。
【０００３】
【発明が解決しようとする課題】
現代人は、エネルギー不足で体が冷え、有害な電磁波の影響で自律神経を病んでいる。この冷えの改善と電磁波を軽減する環境を作ってそれを継続することが重要である。
しかるに、従来のガードル７０は、ウエスト部分を強く締め付けることで、リンパの流れを妨げてしまう。また、図５に示すようなショートガードル７０では、そけいリンパを圧迫し、かつ、ヒップの形を崩し、太ももに脂肪を逃がし、太ももを太くする。そけいリンパを圧迫すると、脚のリンパの流れや血流も悪くなり、体を冷やす原因になっている。
【０００４】
本発明の目的は、そけいリンパを圧迫することがなく、かつ、ヒップの丸みを崩すことのないガードルを提供することである。
【０００５】
【課題を解決するための手段】
本発明は、遠赤外線セラミック練り込み布地を表地と裏地に使用し、前記表地は、伸縮性を有する布地をもって上端が臍よりやや上まで覆うハイウエストで、下端が太ももの略中間位置まで覆う長さを有し、この表地の後面には、臀部の形状に合わせた臀部モールド部７６を形成し、前記裏地は、臀部を外周から中心に向かって持ち上げて形を整えるために、後面に前記臀部モールド部７６の外周縁部に略一致した臀部用切り欠き８０を形成したＣ型に裁断された臀部支え裏地７９と、内股に位置しリンパの流れと血流を促進するための２枚重ね部８５と太ももに位置し全周囲を圧迫せずに支えるための帯状部８６とからなる太もも裏地８１とを具備したことを特徴とするガードルである。
【０００６】
このようにして形成された股上の深いガードル７０を穿くことで、ウエスト部分に圧迫感を与えることなく、下腹部とウエスト部の贅肉をすっぽりと包み込み、また、ヒップの丸みもつぶさず、ヒップを外周から臀部モールド部７６に向かって持ち上げて形を整え、さらに、太ももの中間まで包み込んだロングガードルとなっていることで、太ももに脂肪が流れるのを阻止している。
ヒップを臀部モールド部７６部分で補整しつつ体重を支えるために、背骨にかかる負担を軽減することができる。
【０００７】
【発明の実施の形態】
以下、本発明の実施例を図１乃至図４に基づき説明する。
本発明によるガードル７０は、遠赤外線セラミック練り込み糸からなる布地をすべての表地と裏地に使用している。
【０００８】
前記表地は、図３（ａ）に示すように、右側表地７１ａ、左側表地７１ｂ、中央飾り地７３，クロッチ用ネット地７４，右側太もも広幅レース７５ａ、左側太もも広幅レース７５ｂからなる。
前記右側表地７１ａは、伸縮性を持って織られた布地からなり、前面中央から折り返し線８２を経て後面中央まで覆うだけの幅を有し、また、上下方向は、上端が臍よりやや上まで覆うようなハイウエストで、下端が太ももの略中間位置まで覆う長さとなっている。この右側表地７１ａの前面側中央部に当たる部分には、中央飾り地７３の取り付け用の鉤型の切り欠きと、右側クロッチ取付け切り欠き７７ａが形成され、後面側中央部に当たる部分にも右側クロッチ取付け切り欠き７７ａが形成され、さらに、後面に縦半分のハート形の右側臀部モールド部７６ａがモールド形成されている。
前記左側表地７１ｂについても、右側表地７１ａと対称形をなしている。
なお、右側表地７１ａと左側表地７１ｂにおいて、両側の折り返し線８２で折り返すようにして、縫い代を作らないようにしているのは、縫い代を作ると、その縫い代でヒップに圧力がかかり、ヒップに縦筋が生じるからである。
【０００９】
前記中央飾り地７３は、伸縮性の少ない織り方をした布地をダイヤ型に裁断したものである。
前記右側太もも広幅レース７５ａと左側太もも広幅レース７５ｂは、図３（ａ）に２点鎖線で示すように、前記右側表地７１ａと左側表地７１ｂの下端部にそれぞれ重ねて縫製されるもので、伸縮性のある織り方をした飾りを兼ねたストレッチレース布からなる。
前記クロッチ用ネット地７４は、伸縮性のある織り方をしたネットなどの布地で、２枚重ねとなっている。
【００１０】
図３（ｂ）に示す裏地は、伸縮性のある織り方をした布地を使用した中央部裏地７８、右側臀部支え裏地７９ａ、左側臀部支え裏地７９ｂ、右側太もも裏地８１ａ及び左側太もも裏地８１ｂからなる。８３は、ゴム紐である。
前記右側臀部支え裏地７９ａには、内側の右側臀部用切り欠き８０ａが前記右側臀部モールド部７６ａの外周縁部に略一致したＣ型に裁断され、ヒップを外周から中心に向かって持ち上げて形を整える。また、前記右側表地７１ａの右側クロッチ取付け切り欠き７７ａと一致する右側クロッチ取付け切り欠き７７ａが切り欠かれてている。
前記左側臀部支え裏地７９ｂについても、右側臀部支え裏地７９ａと対称形をなしている。
【００１１】
前記右側太もも裏地８１ａは、内股に位置するようにしてリンパの流れと血流を促進し、経穴を温めるための２枚重ね部８５ａと、太ももの全周囲を圧迫せずに、しかも、しっかりと支えるための帯状部８６ａとからなり、前記２枚重ね部８５ａには、前記右側表地７１ａの右側クロッチ取付け切り欠き７７ａと一致する右側クロッチ取付け切り欠き７７ａが切り欠かれている。
【００１２】
以上のような表地と裏地が重ね合わせられて縫製される。
このとき、後面の臀部モールド部７６を２分する部分と上端部とに、それぞれゴム紐８３を一体に縫い付け、シャーリングによるダーツを作る。このため、臀部モールド部７６の部分では、図２に示すように、後面がやや下方へ引き下げられて、中間部にたるみが形成され、ヒップ部分の丸みがより強調される。また、上端部分では、表地７１と臀部支え裏地７９が共に伸縮性を有することと相俟って、ゴム紐８３をきつくならないように、即ち、ウエスト部分が食い込まない程度に緩めに縫製されている。
【００１３】
このようにして形成された股上の深いガードル７０を穿くことで、ウエスト部分に圧迫感を与えることなく、下腹部とウエスト部の贅肉をすっぽりと包み込み、また、ヒップの丸みもつぶさず、ヒップを外周から臀部モールド部７６に向かって持ち上げて形を整え、さらに、太ももの中間まで包み込んだロングガードルとなっていることで、太ももに脂肪が流れるのを阻止している。
ヒップを逆ハート型の臀部モールド部７６部分で補整しつつ体重を支えるために、背骨にかかる負担を軽減することができる。
また、表地７１に中央部裏地７８、臀部支え裏地７９，太もも裏地８１を張り合わせることにより一重部８４の部分が生じるが、これは、足の付け根部分の動きを妨げないようにしたものである。
【００１４】
また、臍のやや上から下腹部は、中央飾り地７３と中央部裏地７８が２枚重ねとなっているため、身体における腹部の中央線に沿って存在する重要な多数の経穴、例えば、中かん（ちゅうかん）（上腹部の中央で、へそとみぞおちの中間にあり、腹部の内臓・消化器全般の病気、食欲不振、ノイローゼ、不眠症等の治療に効果を発揮する）、水分（すいぶん）（へその上３〜４ｃｍのところにあり、大腸の水分バランスを整える働きを有し、下痢等の治療に効果を発揮する）、気海（きかい）（へそ下４〜５ｃｍのところにあり、精神症時の呼吸促迫、婦人病・泌尿器・消化器の急性の痛みの治療に効果を発揮する）などを温める効果がある。
【００１５】
【発明の効果】
本発明によれば、遠赤外線セラミック練り込み布地を表地と裏地に使用し、前記表地は、伸縮性を有する布地をもって上端が臍よりやや上まで覆うハイウエストで、下端が太ももの略中間位置まで覆う長さを有し、この表地の後面には、臀部の形状に合わせた臀部モールド部７６を形成し、前記裏地は、臀部を外周から中心に向かって持ち上げて形を整えるために、後面に前記臀部モールド部７６の外周縁部に略一致した臀部用切り欠き８０を形成したＣ型に裁断された臀部支え裏地７９と、内股に位置しリンパの流れと血流を促進するための２枚重ね部８５ａと太ももに位置し全周囲を圧迫せずに支えるための帯状部８６ａとからなる太もも裏地８１とを具備したので、ウエスト部分に圧迫感を与えることなく、下腹部とウエスト部の贅肉をすっぽりと包み込み、また、ヒップの丸みもつぶさず、ヒップを外周から臀部モールド部７６に向かって持ち上げて形を整えることができる。さらに、太ももの中間まで包み込んだロングガードルとなっていることで、太ももに脂肪が流れるのを阻止している。さらにまた、ヒップを臀部モールド部７６で補整しつつ体重を支えるために、背骨にかかる負担を軽減することができる。
【００１６】
本発明によれば、臍よりやや上からクロッチ部の間に中央飾り地７３と中央部裏地７８を２枚重ねとし、この中央飾り地７３は、伸縮性の少ない織り方をした布地からなるので、下腹部を補整し、身体における腹部の中央線に沿って存在する重要な多数の経穴を温めて脂肪を分解させる効果がある
【００１７】
本発明によれば、表地と裏地の縫製時に、後面の臀部モールド部７６を垂直に２分する位置に、ゴム紐８３を一体に縫い付け、臀部モールド部７６を下方へやや引き下げてヒップ部分に丸みが形成されるようにしたので、ヒップをつぶすことなく、外周から臀部モールド部７６に向かって持ち上げて形を整える効果がある。
また、右側表地７１ａと左側表地７１ｂにおいて、両側の折り返し線８２で折り返すようにして、縫い代を作らないようにしたので、縫い代を作ることによるその縫い代でヒップに圧力がかかり、ヒップに縦筋が生じるという問題点を解消している。
【図面の簡単な説明】
【図１】本発明によるガードル７０の一実施例を示す正面図である。
【図２】図１の背面図である。
【図３】（ａ）は、本発明によるガードル７０の表地の分解平面図、（ｂ）は、本発明によるガードル７０の裏地の分解平面図である。
【図４】（ａ）は、本発明によるガードル７０を着用したときの正面図、（ｂ）は、本発明によるガードル７０を着用したときの側面図である。
【図５】従来のショートガードルを着用したときの正面図である。
【符号の説明】
７０…ガードル、７１…表地、７１ａ…右側表地、７１ｂ…左側表地、７３…中央飾り地、７４…クロッチ用ネット地、７５…太もも広幅レース、７５ａ…右側太もも広幅レース、７５ｂ…左側太もも広幅レース、７６…臀部モールド部、７６ａ…右側臀部モールド部、７６ｂ…左側臀部モールド部、７７…クロッチ取付け切り欠き、７７ａ…右側クロッチ取付け切り欠き、７７ｂ…左側クロッチ取付け切り欠き、７８…中央部裏地、７９…臀部支え裏地、７９ａ…右側臀部支え裏地、７９ｂ…左側臀部支え裏地、８０…臀部用切り欠き、８０ａ…右側臀部用切り欠き、８０ｂ…左側臀部用切り欠き、８１…太もも裏地、８１ａ…右側太もも裏地、８１ｂ…左側太もも裏地、８２…折り返し線、８３…ゴム紐、８４…一重部、８５…２枚重ね部、８５ａ…右側２枚重ね部、８５ｂ…左側２枚重ね部、８６…帯状部、８６ａ…右側帯状部、８６ｂ…左側帯状部。
【図１】
0003836381.tif 000002
【図２】
0003836381.tif 000003
【図３】
0003836381.tif 000004
【図４】
0003836381.tif 000005
【図５】
0003836381.tif 000006